(57)【要約】【課題】  異品納入や誤組み付けを防止することが可能な構造の電気接続箱を提供する。【解決手段】  一又は複数の配線板５、６を収納する共用のカバー４に、このカバー４の内外を連通する窓９を形成する一方、配線板５、６には、この配線板５、６の正常収納の際に窓９から突出又は窓９の開口位置に差し掛かり、且つ異常収納の際にカバー４の壁に引掛かる、配線板５、６の種類判別可能な凸部１２を形成して電気接続箱１を形成する。凸部１２には、配線板５、６の表裏を判別可能とする表裏判別機能部分を形成する。【選択図】    図１
2006311724.tif 000002
【特許請求の範囲】
【請求項１】
一又は複数の配線板を収納する共用のカバーに、該カバーの内外を連通する窓を形成する一方、前記配線板には、該配線板の正常収納の際に前記窓から突出又は該窓の開口位置に差し掛かり、且つ異常収納の際に前記カバーの壁に引掛かる、前記配線板の種類判別可能な凸部を形成する
ことを特徴とする電気接続箱。
【請求項２】
請求項１に記載の電気接続箱において、
前記凸部に、前記配線板の表裏を判別可能とする表裏判別機能部分を形成する
ことを特徴とする電気接続箱。
【発明の詳細な説明】
【技術分野】
【０００１】
本発明は、カバー内に一又は複数の配線板を収納して例えばワイヤハーネスを集中的に接続・分配する電気接続箱に関する。
【背景技術】
【０００２】
車両に搭載される電気接続箱は、バスバーや電線を巡らせて所望の配索パターンの回路を形成した一又は複数の配線板と、この配線板を内部に収納するアッパーカバー及びアンダーカバーからなるカバーとを備えて構成されている（例えば特許文献１参照）。近年の電気接続箱は、共用のカバーを設けてこの内部に車両の仕様に合わせた配線板を選択し収納するようなものになっている。
【特許文献１】特開２００５−６４９８号公報  （第３−４頁、第１図）
【発明の開示】
【発明が解決しようとする課題】
【０００３】
電気接続箱は、カバー内に配線板を収納してしまうと、配線板自体がカバーで覆われることから、どの配索パターンの回路が収納されているのかが全く分からず、配線板の選択に間違いがあると、これによって異品が納入されてしてしまうという問題点を有している。
【０００４】
また、電気接続箱は、カバー内に配線板を収納する際に、配線板の向きを確認しながら一々作業を行わなければ誤組み付けが生じてしまう構造であることから、この点も問題点になっている。
【０００５】
本発明は、上述した事情に鑑みてなされたもので、異品納入や誤組み付けを防止することが可能な構造の電気接続箱を提供することを課題とする。
【課題を解決するための手段】
【０００６】
上記課題を解決するためになされた請求項１記載の本発明の電気接続箱は、一又は複数の配線板を収納する共用のカバーに、該カバーの内外を連通する窓を形成する一方、前記配線板には、該配線板の正常収納の際に前記窓から突出又は該窓の開口位置に差し掛かり、且つ異常収納の際に前記カバーの壁に引掛かる、前記配線板の種類判別可能な凸部を形成することを特徴としている。
【０００７】
このような特徴を有する本発明によれば、カバーの窓から突出する配線板の凸部を見ることにより、カバー内部の配線板の種類が分かる。また、配線板の収納作業の際に、配線板の凸部がカバーの壁に引掛かると誤組み付けが生じていることが分かる。
【０００８】
請求項２記載の本発明の電気接続箱は、請求項１に記載の電気接続箱において、前記凸部に、前記配線板の表裏を判別可能とする表裏判別機能部分を形成することを特徴としている。
【０００９】
このような特徴を有する本発明によれば、配線板の凸部の表裏判別機能部分を見ることにより、配線板が表裏正確な状態でカバー内に収納されているか否かが分かる。
【発明の効果】
【００１０】
請求項１に記載された本発明によれば、異品納入や誤組み付けを防止することができるという効果を奏する。また、請求項２に記載された本発明によれば、より確実に異品納入や誤組み付けを防止することができるという効果を奏する。
【発明を実施するための最良の形態】
【００１１】
以下、図面を参照しながら説明する。図１は本発明の電気接続箱の一実施の形態を示す分解斜視図である。また、図２は電気接続箱の要部を示す斜視図、図３は同じく要部を示す側面図、図４はアンダーカバーの平面図、図５は配線板の平面図、図６〜図９は組み付けパターンを示すアンダーカバー及び配線板の平面図である。
【００１２】
図１において、引用符号１は本発明の電気接続箱を示している。電気接続箱１は、車両のエンジンルームやインパネ内に搭載されて、例えばワイヤハーネスを集中的に接続・分配することができるように構成されている。電気接続箱１は、アッパーカバー２及びアンダーカバー３からなるカバー４と、このカバー４内に収納される配線板５、６とを備えて構成されている。本発明の電気接続箱１は、異品納入や誤組み付けを防止することができるように構成されている。以下、図１ないし図５を参照しながら各構成部材について説明する。
【００１３】
アッパーカバー２は、絶縁性の合成樹脂材料を用いて成形されている。アッパーカバー２は、図１の場合、紙面下側が開口する箱状に成形されている。アッパーカバー２の天井壁には、複数のコネクタハウジング７が並んで形成されている。アッパーカバー２の一側壁には、逆Ｕ字状の凹部（スリット）８が形成されている。この凹部８は、アンダーカバー３の後述する凹部８に重なって窓９を形成するようになっている。
【００１４】
アンダーカバー３は、アッパーカバー２と同様、絶縁性の合成樹脂材料を用いて成形されている。アンダーカバー３は、図１の場合、紙面上側が開口する箱状に成形されている。アンダーカバー３の底壁には、複数のコネクタハウジング７が並んで形成されている。アンダーカバー３の一側壁には、Ｕ字状の凹部８が形成されている。各凹部８の重なりによりなる窓９は、カバー４の内外を連通するように形成されている（図中の窓９の形状及び位置は一例であるものとする）。
【００１５】
アッパーカバー２及びアンダーカバー３は、既知の嵌合構造を有している。ここでは説明を省略するものとする。アッパーカバー２及びアンダーカバー３は、特に限定するものではないが、共用のカバーとして用いられている。すなわち、配線板５、６に限らず他の配線板も収納することができる構造を有している。
【００１６】
配線板５、６は、絶縁性の基板１０と、それぞれ所望の配索パターンとなる回路（図示省略）とを有している。図示しない回路は、例えば導電性のバスバーを巡らせることにより形成されている。配線板５、６は、本形態において図示のように上下に積層されている（配線板の数等は一例であるものとする。一つや三つ以上であっても可能であるものとする）。配線板５は、アッパーカバー２に対応するように上向きに配置されている。また、配線板６は、アンダーカバー３に対応するように下向きに配置されている。配線板５、６において突出するタブ１１は、対応するコネクタハウジング７に対して差し込まれるように配置されている。タブ１１は、上記回路に接続されている。
【００１７】
配線板５、６におけるそれぞれの基板１０の一側部には、この一側部から真っ直ぐ横方向に突出する棒状の凸部１２が形成されている。凸部１２は、配線板５、６の正常収納の際に窓９から突出（又は窓９の開口位置に差し掛かる長さでも良い）するように形成されている。また、凸部１２は、配線板５、６の異常収納の際にアッパーカバー２、アンダーカバー３の他側壁（カバーの壁）に引掛かり、配線板５、６の収納が不能となるように形成されている。
【００１８】
凸部１２は、配線板５、６の種類を判別可能（どの配索パターンの回路であるかを判別する）にする種類判別機能部分を有している。また、凸部１２は、配線板５、６の表裏を判別可能（アッパーカバー２側の配線板であるか、アンダーカバー３側の配線板であるかを判別する）にする表裏判別機能部分を有している。本形態の種類判別機能部分及び表裏判別機能部分は、凸部１２自体の形状がこれに該当するようになっている。
【００１９】
具体的な一例としては、凸部１２を三角柱状に形成し、この三角柱状の凸部１２を見ることによって、どのような配索パターンの回路であるかを判別することができるようになっている。また、三角柱状の凸部１２の頂部を見ることによって、表裏が逆になってないかを判別することができるようになっている。
【００２０】
尚、凸部１２の種類判別機能部分及び表裏判別機能部分として、図１０に示すような二つの連続する三角柱状に形成することも可能であるものとする。特に図示しないが凸部を円柱状に形成する場合には、種類判別機能部分のみを有することになる（以上の説明の形状に限定されないものとする）。
【００２１】
次に、図１ないし図５を参照しながら上記構成に基づく組み付け作業について説明する。
【００２２】
電気接続箱１は、積層状態の配線板５、６をアンダーカバー３内に収納する作業と、アンダーカバー３内に収納した配線板５、６を覆うような格好でアッパーカバー２をアンダーカバー３に嵌合させる作業と、を順に経ることにより組み付けられている。ここでは、カバー４の窓９の位置と、配線板５、６の凸部１２の位置とが一致することから、配線板５、６はカバー４内に正常に収納されるようになっている。
【００２３】
続いて、図６ないし図９を参照しながら、正・誤の場合の組み付けパターンについて説明する。
【００２４】
図６において、積層状態の配線板５、６は、アンダーカバー３内に正常に収納されている。これは、アンダーカバー３の凹部８の位置（カバー４の窓９の位置）と、配線板５、６の凸部１２の位置とが一致しているからである。一方、図７の場合では、積層状態の配線板５、６がアンダーカバー３に対して異常な収納となっている。これは、配線板５、６の凸部１２の位置が図６の配線板５、６の凸部１２の位置に対して異なっているからである。すなわち、積層状態の配線板５、６の表裏が図６に対して逆になっているからである。
【００２５】
図８の場合では、図７の表裏逆の配線板５、６が図７の状態に対して１８０°向きが変わっている。従って、積層状態の配線板５、６は、アンダーカバー３に対して異常な収納となっている。図９の場合では、図６の配線板５、６が図６の状態に対して１８０°向きが変わっている。従って、積層状態の配線板５、６は、アンダーカバー３に対して異常な収納となっている。
【００２６】
以上、図１ないし図９を参照しながら説明してきたように、本発明によれば、異品納入や誤組み付けを防止することができるという効果を奏する。
【００２７】
その他、本発明は本発明の主旨を変えない範囲で種々変更実施可能なことは勿論である。
【図面の簡単な説明】
【００２８】
【図１】本発明の電気接続箱の一実施の形態を示す分解斜視図（破線の円は要部を示す）である。
【図２】電気接続箱の要部を示す斜視図（破線の円は要部を示す）である。
【図３】電気接続箱の要部（破線の円内）を示す側面図である。
【図４】アンダーカバーの平面図である。
【図５】配線板の平面図（破線の円は要部を示す）である。
【図６】組み付けパターン（正）を示すアンダーカバー及び配線板の平面図である。
【図７】組み付けパターン（誤−１）を示すアンダーカバー及び配線板の平面図（一点鎖線の円は凸部の位置を示す）である。
【図８】組み付けパターン（誤−２）を示すアンダーカバー及び配線板の平面図（一点鎖線の円は凸部の位置を示す）である。
【図９】組み付けパターン（誤−３）を示すアンダーカバー及び配線板の平面図（一点鎖線の円は凸部の位置を示す）である。
【図１０】凸部の形状の他の例を示す電気接続箱の側面図（破線の円は要部を示す）である。
【符号の説明】
【００２９】
１  電気接続箱
２  アッパーカバー
３  アンダーカバー
４  カバー
５、６  配線板
７  コネクタハウジング
８  凹部
９  窓
１０  基板
１１  タブ
１２  凸部
【図１】
2006311724.tif 000003
【図２】
2006311724.tif 000004
【図３】
2006311724.tif 000005
【図４】
2006311724.tif 000006
【図５】
2006311724.tif 000007
【図６】
2006311724.tif 000008
【図７】
2006311724.tif 000009
【図８】
2006311724.tif 000010
【図９】
2006311724.tif 000011
【図１０】
2006311724.tif 000012